(57)【特許請求の範囲】
【請求項１】
隣接する建造物の床相互間の目地に差し渡されて該目地を覆うカバー体の一端を、一方の床の側縁に保持手段を介して少なくとも目地幅方向に移動不能に保持し、該カバー体の他端部を自由端部とする一方、他方の床の側縁に、水平受板と、該水平受板の上部に対設されて該水平受板の外端に一端縁が連結された端部カバー板とを備え、該端部カバー板と水平受板間をカバー体の自由端部が摺動可能に挿入される摺動空隙とする摺動受枠体が配設された床用目地カバー装置において、
前記摺動空隙内でカバー体の先端と水平受板の外端間に、カバー体の先端と水平受板の外端とに端部が夫々固定されて、カバー体の目地幅方向に沿う摺動に伴って伸縮する複数の伸縮性支持杆が配設され、該伸縮性支持杆によってカバー体の先端と水平受板の外端間の上方に位置する端部カバー板を下方から支持するようにしたものであって、
伸縮性支持杆が、対向する二側壁に目地幅方向に沿う長孔状のガイド孔が夫々形成された複数の杆状部材を備え、各杆状部材が目地の長手方向に沿って並列配置されて、その隣接する各杆状部材相互が、一方の杆状部材の側壁前部に固定されて他方の杆状部材のガイド孔に脱出不能に係合された第一摺動子と、他方の杆状部材の側壁後部に固定されて前記一方の杆状部材のガイド孔に脱出不能に係合された第二摺動子とによって伸縮可能に連結されてなり、その一端に位置する杆状部材がカバー体の先端に固定される一方、他端に位置する杆状部材が水平受板の外端に固定されていることを特徴とする床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物からなる建造物にあっては、地震時における水平方向の揺れが大きくなる傾向がある。このような免震構造の建造物の周囲には、隣接する人工地盤からなる建造物との間に、前記揺れを吸収し得る比較的広幅の目地が形成されており、かかる免震構造の建物の目地に好適に使用し得る床用目地カバー装置が、本願出願人によって先に提案されている（特許文献１参照）。
【０００３】
かかる床用目地カバー装置は、図９（Ａ）に示すように、建造物Ａの床ｆ1 と、該床ｆ1 に目地ｓを介して隣接する建造物Ｂの床ｆ2 との間に差し渡されて前記目地ｓを覆うカバー体Ｃの一端を、前記床ｆ1 の側縁に連結手段ａを介して傾動可能に連結し、該カバー体Ｃの他端部を自由端部として、該自由端部の端縁にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの床ｆ2 の側縁に、水平受板部ｅと、該水平受板部ｅの外端に前記傾斜端縁ｂと同方向に傾斜する傾斜受板部ｇとを備えた摺動受枠体ｈを配設し、該摺動受枠体ｈの水平受板部ｅ上に、前記カバー体Ｃの自由端部を乗載するとともに、前記端部カバー板ｃの外端を建造物Ｂの床ｆ2 上に乗載し、該端部カバー板ｃによってカバー体Ｃの傾斜端縁ｂと摺動受枠体ｈの傾斜受板部ｇ間に生じる空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端部が摺動受枠体ｈの水平受板部ｅ上を空隙ｊの範囲内で水平に摺動してその相対変位に追従し、さらに大きく相対変位すると、図９（Ｂ）に示すように、カバー体Ｃは、一端の連結手段ａを支点として、自由端部に形成された傾斜端縁ｂが摺動受枠体ｈの傾斜受板部ｇに沿ってずれ上がることにより、その相対変位から逃げることができるようになっている。
【０００５】
ところで、かかる従来構成の床用目地カバー装置にあっては、地震により、建造物Ａと、隣接する建造物Ｂとが近接する方向に大きく相対変位して、カバー体Ｃの自由端部が建造物Ｂの床ｆ2 上に乗り上げた場合に、端部カバー板ｃが中空に突出する状態となるため（図９（Ｂ）参照）、避難時の障害となる虞があった。
【０００６】
また、従来構成の床用目地カバー装置にあっては、建造物Ａと建造物Ｂとが前後方向（目地ｓの長手方向）に相対変位した場合に、カバー体Ｃの自由端部の前後方向の移動幅に相当するスペースを自由端部の前後両側に確保しておく必要があり、カバー体Ｃの自由端部の前後両側に壁等の立上がり部が形成されていて前記スペースが確保できない場所には適用することができなかった。
【０００７】
そこで、このような問題点を解消し得るようにした床用目地カバー装置が本願出願人によって製作されている。これは、図１０に示すように、隣接する建造物Ａ，Ｂの床ｆ1 ，ｆ2 相互間の目地ｓに差し渡されて該目地ｓを覆うカバー体Ｃの一端を、一方の床ｆ1 の側縁に保持手段ｋを介して少なくとも目地ｓの幅方向に移動不能に保持し、該カバー体Ｃの他端部を自由端部とする一方、他方の床ｆ2 の側縁に、水平受板ｍと、該水平受板ｍの上部に対設され、かつ該水平受板ｍの外端に一端縁が連結された端部カバー板ｎとを備えた摺動受枠体ｐを配設し、該端部カバー板ｎと水平受板ｍ間に形成された摺動空隙ｒにカバー体Ｃの自由端部を摺動可能に挿入するようにしている。
【０００８】
また、前記保持手段ｋは、カバー体Ｃの一端に配設されたスライダーｔと、一方の建造物Ａの床ｆ1 の側縁に配設され、前記スライダーｔを目地ｓの長手方向に摺動可能に支持するレール部材ｕとによって構成されており（特許文献２参照）、地震時に、隣接する建造物Ａ，Ｂの床ｆ1 ，ｆ2 相互が前後方向（目地ｓの長手方向）に相対変位すると、レール部材ｕに支持されたスライダーｔの摺動作用を介して、カバー体Ｃの一端が一方の床ｆ1 の側縁に沿って前後方向に摺動して、その相対変位に追従するようになっている。これにより、カバー体Ｃの自由端部の前後両側に壁等の立上がり部が形成されている場所に適用し得るものとなっている。
【先行技術文献】
【特許文献】
【０００９】
【特許文献１】特開平１０−３１７５１６号公報
【特許文献２】特開２００４−２７６３８号公報（図１０）
【発明の概要】
【発明が解決しようとする課題】
【００１０】
ところで、上記のように端部カバー板ｎと水平受板ｍ間に形成された摺動空隙ｒにカバー体Ｃの自由端部を摺動可能に挿入するようにした床用目地カバー装置にあっては、建造物Ａと、隣接する建造物Ｂとが近接する方向に大きく相対変位した場合に、カバー体Ｃの自由端部が支障なく摺動し得るように、カバー体Ｃの自由端部の先端と水平受板ｍの外端との間隔が比較的大きく設定されている。このため、前記間隔の上方に位置する端部カバー板ｎが、通行する人や台車の荷重に充分耐え得るように、該端部カバー板ｎには厚み９ｍｍ程度の比較的厚みが厚い鋼板が用いられている。しかしながら、このような厚みが厚い鋼板は、厚みが薄い鋼板に比して仕入れ価格が高いため、これを用いた床用目地カバー装置の生産コストが高くなってしまうという問題点があった。
【００１１】
本発明は、かかる従来の問題点を解消するためになされたものであって、耐荷重強度を低下させることなく、端部カバー板の厚みを薄くすることができ、これによって生産コストを低減し得る床用目地カバー装置を提供することを目的とするものである。
【課題を解決するための手段】
【００１２】
本発明は、隣接する建造物の床相互間の目地に差し渡されて該目地を覆うカバー体の一端を、一方の床の側縁に保持手段を介して少なくとも目地幅方向に移動不能に保持し、該カバー体の他端部を自由端部とする一方、他方の床の側縁に、水平受板と、該水平受板の上部に対設されて該水平受板の外端に一端縁が連結された端部カバー板とを備え、該端部カバー板と水平受板間をカバー体の自由端部が摺動可能に挿入される摺動空隙とする摺動受枠体が配設された床用目地カバー装置において、前記摺動空隙内でカバー体の先端と水平受板の外端間に、カバー体の先端と水平受板の外端とに端部が夫々固定されて、カバー体の目地幅方向に沿う摺動に伴って伸縮する複数の伸縮性支持杆が配設され、該伸縮性支持杆によってカバー体の先端と水平受板の外端間の上方に位置する端部カバー板を下方から支持するようにしたことを特徴とする床用目地カバー装置である。
【００１３】
ここで、上記各伸縮性支持杆は、端部カバー板と水平受板の上下間隔に略一致する高さ寸法で形成され、目地の長手方向に所定間隔で配設される。
【００１４】
前記床用目地カバー装置にあって、伸縮性支持杆が、対向する二側壁に目地幅方向に沿う長孔状のガイド孔が夫々形成された複数の杆状部材を備え、各杆状部材が目地の長手方向に沿って並列配置されて、その隣接する各杆状部材相互が、一方の杆状部材の側壁前部に固定されて他方の杆状部材のガイド孔に脱出不能に係合された第一摺動子と、他方の杆状部材の側壁後部に固定されて前記一方の杆状部材のガイド孔に脱出不能に係合された第二摺動子とによって伸縮可能に連結されてなり、その一端に位置する杆状部材がカバー体の先端に固定される一方、他端に位置する杆状部材が水平受板の外端に固定されている構成が提案される。
【発明の効果】
【００１５】
本発明は、上述したように、カバー体の自由端部が摺動可能に挿入される端部カバー板と水平受板間の摺動空隙内でカバー体の先端と水平受板の外端間に、カバー体の先端と水平受板の外端とに端部が夫々固定されて、カバー体の目地幅方向に沿う摺動に伴って伸縮する複数の伸縮性支持杆を配設し、該伸縮性支持杆によってカバー体の先端と水平受板の外端間の上方に位置する端部カバー板を下方から支持するようにしたから、端部カバー板の厚みを従来のものに比して半分以下に薄くしても充分な耐荷重強度が得られる。これにより、耐荷重強度を低下させることなく、端部カバー板の厚みを薄くすることができるため、床用目地カバー装置の生産コストを低減することができる。
【００１６】
また、前記伸縮性支持杆が、対向する二側壁に目地幅方向に沿う長孔状のガイド孔が夫々形成された複数の杆状部材を備え、各杆状部材が目地の長手方向に沿って並列配置されて、その隣接する各杆状部材相互が、一方の杆状部材の側壁前部に固定されて他方の杆状部材のガイド孔に脱出不能に係合された第一摺動子と、他方の杆状部材の側壁後部に固定されて前記一方の杆状部材のガイド孔に脱出不能に係合された第二摺動子とによって伸縮可能に連結されてなり、その一端に位置する杆状部材がカバー体の先端に固定される一方、他端に位置する杆状部材が水平受板の外端に固定されている構成にあっては、簡単な構造にも拘わらず端部カバー板を下方から支持する所定の強度が得られ、各杆状部材を容易に連結することができるとともに、伸展性及び収縮性に優れ、カバー体の目地幅方向に沿う摺動幅に応じた円滑な伸縮作用を得ることができる。
【図面の簡単な説明】
【００１７】
【図１】本発明にかかる床用目地カバー装置の施工状態を示す側断面図である。
【図２】同上の床用目地カバー装置の施工状態を示す平面図である。
【図３】水平受板２の外端と端部カバー板３との連結部分の拡大側断面図である。
【図４】カバー天板８の傾斜部１２部分の拡大側断面図である。
【図５】伸縮性支持杆２８の配設状態を示す部分拡大平面図である。
【図６】伸縮性支持杆２８を構成する杆状部材１８を示す斜視図である。
【図７】杆状部材１８の連結状態を示す説明図である。
【図８】変形実施例にかかる杆状部材１８を示す斜視図である。
【図９】（Ａ）は従来構成の概略側断面図、（Ｂ）はその作用説明図である。
【図１０】他の従来構成の施工状態を示す側断面図である。
【発明を実施するための形態】
【００１８】
以下に、本発明の一実施例を、図１〜図７に基づいて説明する。
図面において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１９】
前記建造物Ｂの床ｆ2 の側縁には、図１，図２において左右方向（目地ｓの幅方向）に比較的長い鋼板からなる水平受板２と、該水平受板２の上部を覆う鋼板からなる端部カバー板３とを備えた摺動受枠体１が配設されている。水平受板２と端部カバー板３は、後述するカバー体Ｃの自由端部の厚みに略一致する間隔で上下に対設されており、該水平受板２と端部カバー板３間に生じる空隙をカバー体Ｃの自由端部が摺動可能に挿入される摺動空隙２９としている。また、端部カバー板３の後端は、図３に示すように、水平受板２の後端に設けられた立ち上がり支持縁２ａに螺子４で連結されている。端部カバー板３は、建造物Ｂの床ｆ2 と同一高さとなるように配設されており、該端部カバー板３の上面には、建造物Ａの床ｆ1 及び建造物Ｂの床ｆ2 上に貼設される化粧シート５ａと同じ化粧シート５ｂが貼設されている。また、摺動受枠体１は、図２に示すように、カバー体Ｃを配置した状態において、目地ｓの長手方向に沿うカバー体Ｃの前後幅に対応する所定の幅で形成されている。
【００２０】
建造物Ａの床ｆ1 と建造物Ｂの床ｆ2 の間には、カバー体Ｃが差し渡され、目地ｓを覆っている。該カバー体Ｃは、図１に示すように、その一端の下部が建造物Ａの床ｆ1 の側縁に保持手段６を介して目地ｓの幅方向に移動不能に保持され、他端部を自由端部としており、該自由端部が前記摺動受枠体１の摺動空隙２９内に挿入された状態で水平受板２上に摺動可能に乗載されている。また、該自由端部には摺動受枠体１の端部カバー板３が載置されている。ここで、建造物Ｂの床ｆ2 の側縁には、図２に示すように、カバー体Ｃの前後方向（目地ｓの長手方向）の側傍に建造物Ｂを構成する壁等の立ち上がり部７，７が形成されており、該立ち上がり部７，７がカバー体Ｃの側縁に夫々当接することによって、カバー体Ｃの自由端部が前後方向（目地ｓの長手方向）に移動不能に位置規制されている。これにより、カバー体Ｃの自由端部は建造物Ｂ側において左右方向（目地ｓの幅方向）にのみ摺動し得るようになっている。
【００２１】
前記保持手段６は、カバー体Ｃの一端の下部に配設された角パイプからなるスライダー１６と、建造物Ａの床ｆ1 の側縁に配設されて前記スライダー１６を前後方向（目地ｓの長手方向）に摺動可能に支持する断面略Ｌ形のレール部材１７とによって構成されており、該レール部材１７の前部立ち上がり縁がスライダー１６に当接することによって該スライダー１６の脱落を防止するようにしている。そして、地震時に、隣接する建造物Ａ，Ｂの床ｆ1 ，ｆ2 相互が前後方向（目地ｓの長手方向）に相対変位すると、レール部材１７に支持されたスライダー１６の摺動作用を介して、カバー体Ｃの一端が一方の床ｆ1 の側縁に沿って前後方向に摺動して、その相対変位に追従するようになっている。
【００２２】
また、摺動受枠体１の摺動空隙２９内には伸縮可能に構成された複数の伸縮性支持杆２８が配設されており、該伸縮性支持杆２８によって端部カバー板３を下方から支持するようにしている。各伸縮性支持杆２８の一端はカバー体Ｃの先端に連結され、他端は水平受板２の立ち上がり支持縁２ａに連結されており、これによってカバー体Ｃの左右方向（目地ｓの幅方向）の摺動に伴って各伸縮性支持杆２８が伸縮するようになっている。尚、該伸縮性支持杆２８は本発明の要部にかかるものであり、詳しくは後述する。
【００２３】
カバー体Ｃの自由端部は、地震のない常態において、図１に示すように、前記水平受板２の長さの目地ｓ側から略半分程度の位置まで水平受板２上に乗載されている。これにより、地震時に、建造物Ａと建造物Ｂとが離近する方向に相対変位すると、カバー体Ｃの自由端部が水平受板２上を左右方向（目地ｓの幅方向）に摺動してその相対変位に追従し得るようになっている。
【００２４】
前記カバー体Ｃは、矩形状のカバー天板８と該カバー天板８の下面に接合された複数の補強杆９とによって構成されている。各補強杆９は、図４に示すように、夫々底板部１０と該底板部１０の幅方向両側縁から上方に立ち上げられた一対の側板部１１とによって断面コ字形に形成されており、該側板部１１の上端縁がカバー天板８の下面に溶接を介して接合されて、カバー天板８の前後方向（目地ｓの長手方向）に所定間隔で配設されている。ここで、図４に示すように、摺動受枠体１の水平受板２に乗載されるカバー体Ｃの自由端部に対応する各補強杆９の側板部１１の上端縁は、上述した端部カバー板３の厚み分だけ低くなるように形成されており、該側板部１１の上端縁の高位側から低位側へ傾斜させたカバー天板８の傾斜部１２を介して、低位側のカバー天板８を端部カバー板３の下部に重ね合わせることにより、端部カバー板３の上面とカバー天板８の非重ね合わせ部８ａの上面とが同一高さとなるようにしている。また、このカバー天板８の非重ね合わせ部８ａの上面には、端部カバー板３の上面に貼設される化粧シート５ｂと同じ化粧シート５ｃが貼設されている。
【００２５】
次に、本発明の要部にかかる前記伸縮性支持杆２８について説明する。
伸縮性支持杆２８は、図５に示すように、一連に連結された複数の杆状部材１８を備えている。各杆状部材１８は、前記水平受板２と端部カバー板３の上下間隔に略一致する高さ寸法で所定長さに形成された金属製の角パイプからなり、図６に示すように、対向する二側壁１９ａ，１９ｂに目地ｓの幅方向に沿う長孔状のガイド孔２０ａ，２０ｂが形成されている。また、一方の側壁１９ａの前部には透孔２１ａが形成され、他方の側壁１９ｂの後部には透孔２１ｂが形成されている。各杆状部材１８は、目地ｓの長手方向に沿って並列配置された状態、即ち、目地ｓの長手方向に直交する向きで並列状に配置された状態で、その隣接する各杆状部材１８，１８相互が、図７に示すように、一方の杆状部材１８の側壁１９ａの前部に固定されて他方の杆状部材１８のガイド孔２０ｂに脱出不能に係合された第一摺動子２２と、他方の杆状部材１８の側壁１９ｂの後部に固定されて前記一方の杆状部材１８のガイド孔２０ａに脱出不能に係合された第二摺動子２３とによって伸縮可能に連結されている。ここで、第一摺動子２２は、一方の杆状部材１８の透孔２１ａに挿通させて頭部を固定した状態で他方の杆状部材１８のガイド孔２０ｂに挿通されたビス２２ａと、該ビス２２ａの挿通端に螺着されて該ビス２２ａをガイド孔２０ｂに脱出不能に係合するナット２２ｂとによって構成されており、また、第二摺動子２３は、一方の杆状部材１８のガイド孔２０ａに挿通させて頭部を係合した状態で他方の杆状部材１８の透孔２１ｂに挿通されたビス２３ａと、該ビス２３ａの挿通端に螺着されて該ビス２３ａを透孔２１ｂに脱出不能に固定するナット２３ｂとによって構成されている。
【００２６】
尚、第一摺動子２２と第二摺動子２３は、このようなビスとナットからなるものに限定されるものではなく、隣接する各杆状部材１８，１８相互にあって、一方の杆状部材１８の側壁前部と他方の杆状部材１８の側壁後部に固定され、夫々が対向するガイド孔２０ａ，２０ｂに脱出不能に係合されて該ガイド孔２０ａ，２０ｂ内を移動し、隣接する各杆状部材１８，１８相互を伸縮可能に連結し得るものであればよい。
【００２７】
前記伸縮性支持杆２８は、その一端に位置する杆状部材１８の端部が、図５に示すように、カバー体Ｃの先端に配設された取付ブラケット２４にビス２４ａとナット２４ｂで固定され、他端に位置する杆状部材１８の端部が、水平受板２の立ち上がり支持縁２ａに配設された取付ブラケット２５にビス２５ａとナット２５ｂで固定されている。また、このように、端部がカバー体Ｃの先端と、水平受板２の立ち上がり支持縁２ａとに夫々固定された複数の伸縮性支持杆２８が、図２に示すように、目地ｓの長手方向に所定間隔で配設されている。そして、各伸縮性支持杆２８によって、カバー体Ｃの先端と水平受板２の外端間の上方に位置する端部カバー板３が下方から支持されている。
【００２８】
かかる構成にあって、各伸縮性支持杆２８は、その一端がカバー体Ｃの先端に固定され、他端が水平受板２の立ち上がり支持縁２ａに固定されていることにより、カバー体Ｃの摺動に伴って各伸縮性支持杆２８が伸縮する。そして、各伸縮性支持杆２８によって、カバー体Ｃの先端と水平受板２の外端間の上方に位置する端部カバー板３が下方から支持されていることにより、該端部カバー板３を従来のものに比して半分以下の厚み（3.2〜4.5ｍｍ程度）にしても充分な耐荷重強度が得られる。これにより、耐荷重強度を低下させることなく、端部カバー板３の厚みを薄くすることができるため、床用目地カバー装置の生産コストを低減することができる。
【００２９】
尚、上述した実施例では、各杆状部材１８の素材として長手方向両端部が開口した角パイプを用いているが、これに代えて、図８に示す変形実施例のように、断面コ字形の金属杆（図８（Ａ）参照）や、上下両面が開口した角パイプ（図８（Ｂ）参照）を用いることも可能である。
【００３０】
また、本発明にかかる床用目地カバー装置は、免震装置によって下部が支持された免震構造の建造物以外の一般的な建造物にも適用することが可能である。
【符号の説明】
【００３１】
Ａ  建造物
Ｂ  建造物
Ｃ  カバー体
ｆ1，ｆ2  床
ｓ  目地
１  摺動受枠体
２  水平受板
３  端部カバー板
６  保持手段
１８  杆状部材
１９ａ，１９ｂ  側壁（二側壁）
２０ａ，２０ｂ  ガイド孔
２２  第一摺動子
２３  第二摺動子
２８  伸縮性支持杆
２９  摺動空隙
【図１】
0005539782.tif 000002
【図２】
0005539782.tif 000003
【図３】
0005539782.tif 000004
【図４】
0005539782.tif 000005
【図５】
0005539782.tif 000006
【図６】
0005539782.tif 000007
【図７】
0005539782.tif 000008
【図８】
0005539782.tif 000009
【図９】
0005539782.tif 000010
【図１０】
0005539782.tif 000011